(57)【要約】      （修正有）【課題】脂肪分解効果を促進するため、筐体内の減圧により皮下脂肪を吸引し、更に筐体内の回転体が反復運動することで吸引した脂肪部を刺激すること、及び前記回転体に電極を設け高電圧による電気的刺激を加えることで、脂肪分解効果を促し、即効性と実効性があり簡易的に実施が可能な皮下脂肪分解装置を提供することを課題とする。【解決手段】本体となる筐体内１に、減圧により皮下脂肪部を吸引し、筐体内１に設けた回転体２が反復回動する皮下脂肪分解装置において、前記回転体２の内面であって皮膚に接する面に電極１０を設け、前記電極１０から高電圧による電気的刺激を加えることを特徴とする。【選択図】図１
2018094078.tif 000002
【特許請求の範囲】
【請求項１】
本体となる筐体内に、減圧により皮下脂肪部を吸引し、筐体内に設けた回転体が反復回動する皮下脂肪分解装置において、前記回転体の内面であって皮膚に接する面に電極を設け、前記電極から高電界による電気的刺激を加えることを特徴とする高電界を利用した皮下脂肪減少装置。
【請求項２】
前記高電界は、交流電圧で１０ｋＶ〜５０ｋＶ、周波数は１ｋＨｚ〜５０ＭＨの範囲から選択することを特徴とする請求項２に記載の高電界を利用した皮下脂肪減少装置。
【請求項３】
前記筐体がレールフレームの範囲内において、自動で移動できることを特徴とする請求項１または２に記載の高電界を利用した皮下脂肪減少装置。
【発明の詳細な説明】
【技術分野】
【０００１】
本発明は高電界と減圧を利用し、体脂肪を燃焼させ、効果的に皮下脂肪を減少させる、皮下脂肪減少装置に関する。
【背景技術】
【０００２】
体内脂肪を減少させる美容器具はこれまで様々なものが開発されている。代表的なものとしては、吸引器となる本体の吸引口を体に押し当て、本体内部を減圧することで、脂肪を吸引し脂肪の減少を促進するものである。
【０００３】
例えば、特許第３５６９６９６９号においては、本体内部の減圧により皮下脂肪を吸引し、更に本体内の回転体が反復運動することで吸引した脂肪部を刺激すること、及び前記回転体に電極を設け電磁波による電気的刺激を加えることで、体脂肪を減少させる技術が記載されているが、高電界により脂肪減少を図るものではない。
【先行技術文献】
【特許文献】
【０００４】
【特許文献１】特許第５６９６９６９号（図４）
【発明の概要】
【発明が解決しようとする課題】
【０００５】
本発者は、脂肪分解効果を促進するため、筐体内の減圧により皮下脂肪を吸引し、更に筐体内の回転体が反復運動することで吸引した脂肪部を刺激すること、及び前記回転体に電極を設け高電界による電気的刺激を加えることで、脂肪分解効果を促し、即効性と実効性があり簡易的に実施が可能な皮下脂肪分解装置を提供することを課題とする。
【課題を解決するための手段】
【０００６】
本発明は、本体となる筐体内に、減圧により皮下脂肪部を吸引し、筐体内に設けた回転体が反復回動する皮下脂肪分解装置において、前記回転体の内面であって皮膚に接する面に電極を設け、前記電極から高電界の印加による電気的刺激を加えることを特徴とする。
【０００７】
また、前記高電界は、パルス高電界を利用してもよい。
【０００８】
更には、前記筐体がある範囲内において、自動的に移動できることを特徴とする。
【発明の効果】
【０００９】
皮膚を４２度程度に温めて、吸引しながら皮下脂肪を掴んで左右に捻ると、刺激により脂肪分解を起こし、直ぐに有酸素運動をすれば血中に出て来た遊離脂肪酸は、エネルギー源として働き脂肪が減少する。筐体内への吸引による皮下脂肪減少効果と、回転体による吸引した皮下脂肪部への刺激との組合せにより、効果的に脂肪分解を図り、継続使用により皮下脂肪が減少される。筐体内に吸引された状態の皮下脂肪部へ高電圧を加えることで、生体組織へストレスが加わり更に脂肪分解効果を得ることができる。特に腹部の皮下脂肪を減少させると、全身の脂肪減少につながることが試験等で判明している。
【００１０】
筐体をある範囲内において、半自動的に移動を可能とすることにより、ある範囲内の体脂肪に対し皮下脂肪減少を図る上で、人的な作業が軽減される。
【図面の簡単な説明】
【００１１】
【図１】本発明の概要図
【図２】一例の皮下脂肪分解装置の断面図
【図３】移動機構の一例の側面図
【図４】移動機構の一例の平面図
【図５】移動機構の一例の正面一部透視図
【図６】ワイヤー配置の一例の側面図
【図７】ワイヤー配置の一例の平面図
【図８】ワイヤー配置の一例の正面図
【発明を実施するための最良の形態】
【００１２】
本発明の構成について、実施例を基に図面を引用して説明する。
【実施例１】
【００１３】
本体に用いる筐体１には、例えば、図２に示すような従来品の皮下脂肪分解装置２０を利用する。例えば筐体内に設けた回転体２の皮膚が接する面に、高電界用の電極１０を設け高電界による刺激を同時に加える。図１に示すように高電圧を伴う高電界を取扱うため、周りへの放電を防止し、効率的な電場を形成するため、人体の底部に電極となる電極シート２２を用いる
【００１４】
高電界に用いるのは、交流電圧で１０ｋＶ〜５０ｋＶ、周波数は１ｋＨｚ〜５０ＭＨの範囲から選択する。５０ＭＨを超えると、生体細胞に悪影響を与える危険性があるためである。高電界はジェネレターを用い、高電圧を印加することで高電界を発生させる。
【００１５】
生体に電界を印加することでジュール熱が発生するため、電圧及び周波数の条件により温熱効果が生まれる。また、生体に印加する電圧及び周波数の条件により細胞が活性化し、新陳代謝を促し体脂肪の消費を促す。
【００１６】
この時に流れる電流は微弱なもので、人体に悪影響を与えるものではない。ジェネレーターからの出力調整により、微弱な電流出力を行うものである。
【００１７】
ジェネレーターは皮下脂肪分解装置２０の筐体内に設置することが望ましいが、筐体外から供給してもよい。高電界はパルス高電界を利用してもよい。
【実施例２】
【００１８】
皮下脂肪分解装置２０を自動で移動させる構成について、図面を引用して説明する。
【００１９】
皮下脂肪分解装置２０の電源プラグ兼排気孔８にベアリングａ３１を取り付け、筐体１の下方部に軸４１を介してベアリングｂ３２を左右対称に設ける。
【００２０】
ベアリングａ３１はレールフレームａ３３とレールフレームｂ３４で挟持し、ベアリングｂ３２はそれぞれレールフレームｃ３５とレールフレームｄ３６内に設置することで、皮下脂肪分解装置２０はレールフレームの範囲内で水平移動を可能にする。
【００２１】
前記レールフレームａ３３、ｂ３４，ｃ３５，ｄ３６は、筐体フレーム４２で固定し、筐体を構成する。図３は移動機構の一例の側面図、図４は移動機構の一例の平面図、図５は移動機構の一例の正面一部透視図である。
【００２２】
筐体フレーム４２ａの内側に、プーリーａ３７を取り付けたモータ３８を取り付け、プーリーｂ３９を筐体フレームｃ及びｄの端と中心部、筐体フレームｆ及びｇの中心部に設け、連結部４３からワイヤー４０を、各プーリー３９、プーリーａ３７を経由し対抗する連結部４３へ固定する。ワイヤー４０は、プーリーａ３７へ複数回巻きつけることが望ましい。図６はワイヤー配置の一例の側面図、図７はワイヤー配置の一例の平面図、図８はワイヤー配置の一例の正面図である。
【００２３】
モータ３８が回転すると、プーリーａ３７に巻き付いたワイヤー４０が、巻き込みと送り出しを行い皮下脂肪分解装置２０が移動する。移動の開始停止はモータを駆動するスイッチで行うが、単位時間毎に移動と移動量をプログラムにより設定してもよい。
【００２４】
移動の際は皮下脂肪分解装置２０の筐体内部の減圧を解除する必要があり、減圧から減圧解除、移動を含めてプログラムにより設定してもよい。
【００２５】
筐体フレーム４２にはカバー５０を設けてもよい。皮下脂肪分解装置２０が移動するためには、筐体フレームが人体へ固定される必要があり、カバー５０にベルトを設け胴体等に固定してもよい。
【産業上の利用可能性】
【００２６】
本発明の高電界を利用した皮下脂肪減少器具は工業生産が可能であり、本装置を用いて美容室やエステでの利用及び提供も可能である。
【符号の説明】
【００２７】
１  筐体    ２  回転体    ３  軸    ４  真空ポンプ    ５  回転動力
６  ギア    ７  減圧孔    ８  電源プラグ兼排気孔    ９  仕切板    １０  電極
２０  皮下脂肪分解装置    ２１  高電界発生器    ２２  電極シート    
２３  コネクタ    ２４  コード    ２５  人体
３０  移動機構    ３１  ベアリングａ  ３２  ベアリングｂ  ３３  レールフレームａ
３４  レールフレームｂ    ３５  レールフレームｃ    ３６  レールフレームｄ
３７  プーリーａ    ３８  モータ    ３９  プーリーｂ    ４０  ワイヤー
４１  軸    ４２  筐体フレーム（ａ，ｂ，ｃ，ｄ，ｅ，ｆ，ｇ）  ４３  連結部  
５０  カバー
【図１】
2018094078.tif 000003
【図２】
2018094078.tif 000004
【図３】
2018094078.tif 000005
【図４】
2018094078.tif 000006
【図５】
2018094078.tif 000007
【図６】
2018094078.tif 000008
【図７】
2018094078.tif 000009
【図８】
2018094078.tif 000010